(57)【要約】【課題】機能の異なる浴槽部と洗い場部に対し、個々の使用目的に適した演出照明を簡単な構成で実施し、快適な浴室空間を提供することを目的とする。【解決手段】浴槽４と洗い場５との境界近傍に対応する壁面６に照明手段７を設置し、照明手段７の洗い場側前面の一部を開放し、浴槽側前面は全て遮蔽する遮蔽板８を照明手段７の前面に設置することにより、洗い場４と浴槽５は明るさに差が出るとともに、直接光を含む洗い場４と間接光のみの浴槽５では異なった雰囲気が演出できる。【選択図】図１
2005237541.tif 000002
【特許請求の範囲】
【請求項１】
浴槽と洗い場との境界近傍に対応する壁面に照明手段を設置し、照明手段の洗い場側前面の一部を開放し、浴槽側前面は全て遮蔽する遮蔽板を照明手段の前面に設置した浴室の照明装置。
【請求項２】
照明手段の前面および両側面の少なくとも遮蔽板で覆われていない箇所に半透明のセードを設置した請求項１に記載の浴室の照明装置。
【請求項３】
一方の端面で受光した光により他端が発光したように見える透明材料からなる採光部材を備え、受光側の端面を遮蔽板の裏面に配置し、発光側の端面を浴槽側に張り出して設置した請求項１に記載の浴室の照明装置。
【請求項４】
遮蔽板の表面にシャワーホルダーを設置した請求項１〜３のいずれか１項に記載の浴室の照明装置。
【発明の詳細な説明】
【技術分野】
【０００１】
本発明は浴室内を照明する装置に関するものである。
【背景技術】
【０００２】
従来、この種の浴室の照明装置は、浴槽と洗い場の天井にそれぞれ機能や形状の異なる個別の照明器具を設置し、浴槽部と洗い場部を別の照明器具で演出照明している（例えば、特開文献１参照）。
【０００３】
図５は、特開文献１に記載された従来の浴室の照明装置を示すものである。図９に示すように、洗い場用照明器具１と浴槽用照明器具２を天井３に設置し、洗い場用照明器具１は天井３に反射させて間接的に洗い場を照明し、浴槽用照明器具２は浴槽を上方から直接照明する構成である。
【特許文献１】特開平２−５２６１６号公報
【発明の開示】
【発明が解決しようとする課題】
【０００４】
しかしながら、前記従来の構成では、浴槽用と洗い場用の少なくとも２個の異なる照明器具を使用するので浴室全体の構造が複雑になり、施工の手間や部材のコストが多くかかり、しかも使用時の電力も多く使用するという課題を有していた。
【０００５】
本発明は、前記従来の課題を解決するもので、機能や目的の異なる浴槽部と洗い場部に対し、個々の使用目的に適した演出照明を１個の照明器具で実施し、快適な浴室空間を提供することを目的とする。
【課題を解決するための手段】
【０００６】
前記従来の課題を解決するために、本発明の浴室の照明装置は、浴槽と洗い場との境界近傍に対応する壁面に照明手段を設置し、照明手段の洗い場側前面の一部を開放し、浴槽側前面は全て遮蔽する遮蔽板を照明手段の前面に設置したものである。
【０００７】
これによって、洗い場は照明手段の前面からの直接光と側面からの間接光で照明され、浴槽側は照明手段の側面からの間接光のみで照明されるため、洗い場と浴槽は明るさに差が出るとともに、直接光を含む洗い場と間接光のみの浴槽では異なった雰囲気が演出できる。
【発明の効果】
【０００８】
本発明の浴室の照明装置は、身体を洗う作業場である洗い場は作業に適した明るい照明となり、リラックスする浴槽は間接光でゆったりとした演出を行うことができる。
【発明を実施するための最良の形態】
【０００９】
第１の発明は浴槽と洗い場との境界近傍に対応する壁面に照明手段を設置し、照明手段の洗い場側前面の一部を開放し、浴槽側前面は全て遮蔽する遮蔽板を照明手段の前面に設置することにより、洗い場は照明手段の前面からの直接光と側面からの間接光で照明され、浴槽側は照明手段の側面からの間接光のみで照明されるため、洗い場と浴槽は明るさに差が出るとともに、直接光を含む洗い場と間接光のみの浴槽では異なった雰囲気が演出でき、身体を洗う作業場である洗い場は作業に適した明るい照明となり、リラックスする浴槽は間接光でゆったりとした演出を行うことができる。
【００１０】
第２の発明は、特に、第１の発明の照明手段の前面および両側面の少なくとも遮蔽板で覆われていない箇所に半透明のセードを設置することにより、照明手段の光は全て半透明のセードを介して照射されるため、照明全体が柔らかい雰囲気になるとともに、照明手段に直接触れることがなく、浴室全体の雰囲気がより快適になるとともに、安全性を高めることができる。
【００１１】
第３の発明は、特に、第１または第２の発明の照明装置に、一方の端面で受光した光により他端が発光したように見える透明材料からなる採光部材を備え、受光側の端面を遮蔽板の裏面に配置し、発光側の端面を浴槽側に張り出して設置することにより、採光部材は照明手段の光を遮蔽板の裏面で受光し、浴槽側に張り出した端面を発光させることができることとなり、浴槽側は間接照明に加え、採光部材による演出が加わり、より雰囲気を向上することができる。
【００１２】
第４の発明は、特に、第１〜３のいずれか１つの発明の遮蔽板の表面にシャワーホルダーを設置することにより、シャワーホルダーの最適な設置場所である浴槽と洗い場との境界近傍に照明装置と同時にシャワーホルダーを設置することができ、シャワーの使い勝手を犠牲にすることなく浴室の演出照明を行うことができる。
【００１３】
以下、本発明の実施の形態について、図面を参照しながら説明する。なお、この実施の形態によって本発明が限定されるものではない。
【００１４】
（実施の形態１）
図１は本発明の第１の実施の形態における浴室の照明装置を浴室ユニットへ設置した状態を示す正面図であり、図２は照明装置を上から見た断面図を示すものである。
【００１５】
図に示すように、浴室ユニットの浴槽４と洗い場５の境界の近傍に対応する位置の壁パネル６の表面に、防水性能を備えた蛍光灯タイプの照明手段７を縦方向に設置し、照明手段７の上下および中間部の必要個所の壁面には、遮蔽板８を壁面６から一定の距離を開けて設置するためのステンレス製の固定具９を設置し、固定具９の前面には表面に化粧処理を施し、裏面は反射効率を高める白色や金属色に処理をした金属製の遮蔽板８を設置してある。
【００１６】
照明手段７の洗い場側に開放された前面と側面は半透明の樹脂製の洗い場側セード１０で遮蔽板８と壁面６の間をカバーし、浴槽側の側面も同様に半透明の樹脂製の浴槽側セード１１で遮蔽板８と壁面６の間をカバーしている。
【００１７】
遮蔽板８の裏面には一部を浴槽側に張り出して透明の樹脂材料からなる採光部材１２が設置してあり、採光部材１２の照明手段側の端面１２ａは前面側に傾斜した傾斜面となっており、他方浴槽側に張り出した端面１２ｂは後面側に傾斜した傾斜面を構成している。また、採光部材１２の浴槽側の端面１２ｂは図１に示すように、前面から見ると大きい曲線を描くように形成されている。
【００１８】
以上のように構成された照明装置について、以下その動作、作用を説明する。
【００１９】
まず、照明手段７から発光した光は浴室空間に向かって放射され、一部は遮蔽板８の裏面で反射し、浴室の壁パネル６の表面を照射することにより、間接光として浴室ユニット内を間接照明し、それ以外の光は直接光として浴室ユニット内を直接照明する。
【００２０】
洗い場５は照明手段７の前面からの直接光と側面と壁パネル６からの間接光で、身体を洗う作業に必要な十分の明るさで照明され、浴槽側は照明手段１の側面と壁パネル６からの間接光のみで柔らかい雰囲気に間接照明されることにより、洗い場５と浴槽６とは異なる明るさ、雰囲気で照明される。
【００２１】
また、採光部材１２は照明手段側の端面１２ａで受光した光が採光部材１２の中を透過して浴槽側に張り出した端面１２ｂで反射して前方に放射されることにより、前面から見た場合前記端面１２ｂで発光したように見える擬似発光の作用を備えるものである。
【００２２】
以上のように、本実施の形態においては、前面からの直接光と側面からの間接光で照明される洗い場は身体を洗うための作業空間として要求される十分な照度与え、浴槽側はゆったりとリラックスできる雰囲気を演出する間接光で照明し、しかも採光部材の端面の擬似発光の演出を加えることにより雰囲気を向上することができる、また前記採光部材の端面を曲線で構成することにより、より演出効果を高めことができるものであり、本願発明は上記の効果を奏する照明装置を１個の照明手段で実現することができるものである。
【００２３】
本実施の形態においては蛍光灯タイプの照明手段を使用したが、蛍光灯に限るものではなく白熱電球やハロゲン電球やそれ以外の照明手段あるいは複数の種類の照明手段を組み合わせて使用することも可能であり、また、遮蔽板や採光部材の形状も照明手段の形状に合わせた円形やそれ以外の形状で実施することが可能である。
【００２４】
(実施の形態２)
図３は本発明の第２の実施の形態における浴室の照明装置の浴室ユニットへの設置状態を示す正面図であり、図４は照明装置を上から見た断面図を示すものである。
【００２５】
図において、遮蔽板８の表面にシャワーノズルを着脱自在に保持するシャワーホルダー１３を設置したものである。
【００２６】
なお、実施の形態１と同一符号のものは同一構造とし、説明は省略する。
【００２７】
以上のように、本実施の形態においては、遮蔽板の表面にシャワーホルダーを設置することにより、本発明の照明装置の最適な設置場所とシャワーホルダーの最適な設置場所が浴槽と洗い場との境界近傍で同一であることを、照明装置の遮蔽板の表面にシャワーホルダーを設置することにより、シャワーの使い勝手を犠牲にすることなく浴室の演出照明を行うことができる。
【産業上の利用可能性】
【００２８】
以上のように、本発明にかかる浴室の照明装置は、機能、目的の異なる２つの空間に対し、個々の目的に適した演出照明を簡単な構成で実施することが可能となるので、本発明は住宅や商業施設等における演出照明などの用途にも適用できる。
【図面の簡単な説明】
【００２９】
【図１】本発明の実施の形態１における浴室の照明装置を浴室ユニットに設置した状態の正面図
【図２】本発明の実施の形態１における浴室の照明装置の上面からの断面図
【図３】本発明の実施の形態２における浴室の照明装置を浴室ユニットに設置した状態の正面図
【図４】本発明の実施の形態２における浴室の照明装置の上面からの断面図
【図５】従来の浴室の照明装置の浴室ユニットの設置状態を示す正面図
【符号の説明】
【００３０】
４  浴槽
５  洗い場
６  壁面
７  照明手段
８  遮蔽板
１０  洗い場側セード（セード）
１１  浴槽側セード（セード）
１２  採光部材
１３  シャワーホルダー
【図１】
2005237541.tif 000003
【図２】
2005237541.tif 000004
【図３】
2005237541.tif 000005
【図４】
2005237541.tif 000006
【図５】
2005237541.tif 000007